(57)【要約】【課題】有彩色の発光素子の色数を２つにして、３つの有彩色に対応した画像情報を生成することができる画像読取装置及び画像処理プログラムを提供する。【解決手段】画像読取装置１００は、白色ＬＥＤ１２Ｗと、波長が異なる２つの有彩色のＬＥＤ、例えば赤色ＬＥＤ１２Ｒ及び青色ＬＥＤ１２Ｂと、白色ＬＥＤ１２Ｗ，赤色ＬＥＤ１２Ｒ，及び青色ＬＥＤ１２Ｂが発光する光をそれぞれ原稿に照射して得られる反射光の強度に応じて、白色画像情報４２１，赤色画像情報４２２，及び青色画像情報４２３を生成する第１の画像情報生成手段４１１と、白色画像情報４２１と赤色画像情報４２２及び青色画像情報４２３少なくとも何れか一方とに基づいて、緑色に対応する緑色画像情報４２４を生成する第２の画像情報生成手段４１２とを備える。【選択図】図１
2012028933.tif 000002
【特許請求の範囲】
【請求項１】
白色系の光を発光する第１の発光素子と、
有彩色の光を発光する第２の発光素子と、
前記第２の発光素子の発光色とは波長が異なる有彩色の光を発光する第３の発光素子と、
前記第１乃至第３の発光素子が発光する光をそれぞれ原稿に照射して得られる反射光の強度に応じて、それぞれの発光素子の発光色に対応する画像情報を生成する第１の画像情報生成手段と、
前記第１の発光素子の発光色に対応する前記画像情報と、前記第２の発光素子の発光色及び前記第３の発光素子の発光色の少なくとも何れかに対応する前記画像情報とに基づいて、前記第２及び第３の発光素子の発光色とは異なる有彩色に対応する画像情報を生成する第２の画像情報生成手段とを備えた画像読取装置。
【請求項２】
前記第２の画像情報生成手段は、前記第１の発光素子の発光色に対応する前記画像情報の画素値と、前記第２の発光素子の発光色及び第３の発光素子の発光色の少なくとも何れかに対応する前記画像情報の画素値との加減算により、前記画像情報を生成する、請求項１に記載の画像読取装置。
【請求項３】
前記第２の発光素子は赤色系の光を発光し、前記第３の発光素子は青色系の光を発光する、請求項１又は２に記載の画像読取装置。
【請求項４】
白色系の光を原稿に照射して得られた反射光の強度に応じて白色光に対応する画像情報を生成するステップと、
第１の有彩色の光を原稿に照射して得られた反射光の強度に応じて前記第１の有彩色に対応する画像情報を生成するステップと、
前記第１の有彩色とは異なる第２の有彩色の光を原稿に照射して得られた反射光の強度に応じて前記第２の有彩色に対応する画像情報を生成するステップと、
前記第１の有彩色及び前記第２の有彩色の少なくとも何れかに対応する前記画像情報、及び前記白色光に対応する前記画像情報に基づいて、前記第１及び第２の有彩色とは異なる有彩色に対応する画像情報を生成するステップとをコンピュータに実行させる画像処理プログラム。
【発明の詳細な説明】
【技術分野】
【０００１】
本発明は、画像読取装置及び画像処理プログラムに関する。
【背景技術】
【０００２】
従来、色の三原色（赤，緑，青）に対応する発光色のＬＥＤを順次点灯させて原稿を照射し、その反射光によって原稿の画像を読み取る画像読取装置が知られている（例えば、特許文献１，２参照）。
【０００３】
特許文献１に記載のカラー画像読取装置では、赤，緑，青の三色のＬＥＤのうち、緑のＬＥＤの照度が他の色のＬＥＤの照度よりも低いために、赤及び青のＬＥＤの照度を落とさなければならないという課題解決のため、緑のＬＥＤの数を赤及び青のＬＥＤの数よりも多く配置している。
【０００４】
また、特許文献２に記載の画像読取装置は、緑色のＬＥＤの反射光の光量を基準にして、三色のＬＥＤの光量比をそれぞれ調整するように構成されている。
【先行技術文献】
【特許文献】
【０００５】
【特許文献１】特開平１０−１３６１５８号公報
【特許文献２】特開２００８−１２４９８５号公報
【発明の概要】
【発明が解決しようとする課題】
【０００６】
本発明の目的は、有彩色の発光素子の色数を２つにして、３つの有彩色に対応した画像情報を生成することができる画像読取装置及び画像処理プログラムを提供することにある。
【課題を解決するための手段】
【０００７】
［１］白色系の光を発光する第１の発光素子と、有彩色の光を発光する第２の発光素子と、前記第２の発光素子の発光色とは波長が異なる有彩色の光を発光する第３の発光素子と、前記第１乃至第３の発光素子が発光する光をそれぞれ原稿に照射して得られる反射光の強度に応じて、それぞれの発光素子の発光色に対応する画像情報を生成する第１の画像情報生成手段と、前記第１の発光素子の発光色に対応する前記画像情報と、前記第２の発光素子の発光色及び前記第３の発光素子の発光色の少なくとも何れかに対応する前記画像情報とに基づいて、前記第２及び第３の発光素子の発光色とは異なる有彩色に対応する画像情報を生成する第２の画像情報生成手段とを備えた画像読取装置。
【０００８】
［２］前記第２の画像情報生成手段は、前記第１の発光素子の発光色に対応する前記画像情報の画素値と、前記第２の発光素子の発光色及び第３の発光素子の発光色の少なくとも何れかに対応する前記画像情報の画素値との加減算により、前記画像情報を生成する、前記［１］に記載の画像読取装置。
【０００９】
［３］前記第２の発光素子は赤色系の光を発光し、前記第３の発光素子は青色系の光を発光する、前記［１］又は［２］に記載の画像読取装置。
【００１０】
［４］白色系の光を原稿に照射して得られた反射光の強度に応じて白色光に対応する画像情報を生成するステップと、第１の有彩色の光を原稿に照射して得られた反射光の強度に応じて前記第１の有彩色に対応する画像情報を生成するステップと、前記第１の有彩色とは異なる第２の有彩色の光を原稿に照射して得られた反射光の強度に応じて前記第２の有彩色に対応する画像情報を生成するステップと、前記第１の有彩色及び前記第２の有彩色の少なくとも何れかに対応する前記画像情報、及び前記白色光に対応する前記画像情報に基づいて、前記第１及び第２の有彩色とは異なる有彩色に対応する画像情報を生成するステップとをコンピュータに実行させる画像処理プログラム。
【発明の効果】
【００１１】
請求項１，４に記載の発明によれば、有彩色の発光素子の色数を２つにして、３つの有彩色に対応した画像情報を生成することができる。
【００１２】
請求項２に記載の発明によれば、演算の負荷を過大にすることなく、対応する発光色の発光素子を有しない有彩色についての画像情報を生成することができる。
【００１３】
請求項３に記載の発明によれば、緑色系の発光色の発光素子を有することなく、カラー画像を読み取ることができる。
【図面の簡単な説明】
【００１４】
【図１】図１は、本発明の第１の実施の形態に係る画像読取装置の構成例を示す概略図である。
【図２】図２は、本発明の第１の実施の形態に係る画像読取装置の全体構成の一例を示す構成図である。
【図３】図３は、本発明の第１の実施の形態に係る画像処理部の概略の構成の一例を示す構成図である。
【図４】図４は、本発明の第１の実施の形態に係る光源を構成するＬＥＤの光量分布の一例を示すグラフである。
【図５】図５は、本発明の第１の実施の形態に係る画像読取装置の動作手順の一例を示すフローチャートである。
【発明を実施するための形態】
【００１５】
［第１の実施の形態］
図１は、本発明の第１の実施の形態に係る画像読取装置の構成例を示す概略図である。この画像読取装置１００は、例えば複写機に組み込まれ、本体部１と、本体部１に対して開閉可能な蓋部２とを有し、原稿９の表面９ａの画像を読み取るように構成されている。
【００１６】
本体部１は、ガラス等の透明体からなる原稿台１１と、光源１２と、光源１２の光を主走査方向に導く一対の導光体１３と、結像レンズ１４と、読取素子１５とを有している。光源１２，導光体１３，結像レンズ１４，及び読取素子１５は、画像読取部１０を構成する。原稿台１１の蓋部２側の面には、シェーディング補正のための白基準部材１１１が配置されている。
【００１７】
光源１２は、白色系の光を発する発光素子と、第１の有彩色及び第２の有彩色の光をそれぞれ発光する２つの発光素子とからなる。より詳細には、光源１２は、第１の発光素子の一例である白色ＬＥＤ（Light Emitting Diode）１２Ｗと、第２の発光素子の一例である赤色ＬＥＤ１２Ｒと、第３の発光素子の一例である青色ＬＥＤ１２Ｂとを有している。
【００１８】
白色ＬＥＤ１２Ｗは、無彩色の白色系の光を発光する。本実施の形態では、白色ＬＥＤ１２Ｗを、青色の光を発光するＬＥＤと黄色蛍光体（例えば、ＹＡＧ（イットリウム・アルミニウム・ガーネット））とを組み合わせ、このＬＥＤ自身の青色光と黄色蛍光体によって青色から黄色に変換された黄色光とが混ざる（青色光と黄色光の補色となる２色の光が組み合わされる）ことによって白色光を発するように構成しているが、例えば近紫外線を発するＬＥＤと赤，青，緑の三種の蛍光体とを組み合わせて白色光を発するように構成することも可能である。
【００１９】
赤色ＬＥＤ１２Ｒは、例えば６００〜７００ｎｍの波長に光量のピークを有する赤色系の光を発光する。青色ＬＥＤ１２Ｂは、例えば４００〜５００ｎｍの波長に光量のピークを有する青色系の光を発光する。この光源１２は、導光体１３の長手方向の両端面に対向して配置されている。
【００２０】
一対の導光体１３は、主走査方向に沿って互いに平行に配置されている。この導光体１３は、例えばＰＭＭＡ（Polymethyl-MethAcrylate：ポリメタクリル酸メチル）樹脂からなるが、ガラスによって形成してもよい。また、導光体１３には、図示しない複数のスリットが設けられており、光源１２の光を両端面から入射して、主走査方向（光源１２に対する原稿９の相対移動方向に対して直交する方向）に均一化して出射し、原稿を照射するように構成されている。
【００２１】
結像レンズ１４は、例えば主走査方向に並列する複数のセルフォックレンズ（登録商標）によって形成されたロッドレンズアレイからなり、原稿９と読取素子１５との間に配置されている。この結像レンズ１４は、光源１２から導光体１３を介して原稿９を照射する照射光８ａが原稿９の表面９ａで反射した反射光８ｂを入射し、読取素子１５に結像するように構成されている。
【００２２】
読取素子１５は、例えばＣＣＤ（Charge Coupled Device）イメージセンサからなり、結像した反射光８ｂの強度に応じた電気信号を出力する。また、読取素子１５は、ＣＭＯＳ（Complementary Metal Oxide Semiconductor）イメージセンサ等によって構成してもよい。この読取素子１５は、原稿９の読み取り位置に対応して、主走査方向に沿って複数配置されている。
【００２３】
蓋部２は、給紙トレイ２１、原稿分離ロール２２、原稿搬送ロール２３、読取ロール２４、排出ロール２５、及び排紙台２６を有し、本体部１の上方に配置されている。
【００２４】
原稿分離ロール２２、原稿搬送ロール２３、読取ロール２４、及び排出ロール２５は、原稿搬送機構２０を構成し、原稿９を給紙トレイ２１から原稿読取位置（読取ロール２４と原稿台１１との間の位置）を経由して排紙台２６まで搬送する。
【００２５】
図２は、画像読取装置１００の全体構成の一例を示す構成図である。画像読取装置１００は、画像読取装置１００の全体の制御を行うコントローラ３０と、原稿９の画像の読み取りを制御する読取制御部３１と、ユーザの操作によって動作指示や各種設定等の入力が可能な操作パネル３２とを有している。
【００２６】
読取制御部３１は、光源１２の白色ＬＥＤ１２Ｗ，赤色ＬＥＤ１２Ｒ，青色ＬＥＤ１２Ｂの点灯を制御する点灯制御部３１１と、原稿搬送機構２０を構成する各ロールを駆動する駆動制御部３１２と、読取素子１５が出力する電気信号をデジタル信号に変換するＡ／Ｄ変換部３１３と、Ａ／Ｄ変換部３１３で変換されたデジタル信号に基づいて画像情報を生成する画像処理部３１４と、画像情報をコントローラ３０に送信する送信部３１５とを有する。
【００２７】
点灯制御部３１１は、白色ＬＥＤ１２Ｗ、赤色ＬＥＤ１２Ｒ、及び青色ＬＥＤ１２Ｂに電流を供給することにより、これらのＬＥＤを１つずつ順次点灯させる。より具体的には、例えば白色ＬＥＤ１２Ｗを予め定められた時間ｔ（例えば０．５ｍｓ）点灯させた後、白色ＬＥＤ１２Ｗを消灯させて赤色ＬＥＤ１２Ｒを点灯させる。そして赤色ＬＥＤ１２Ｒを時間ｔだけ点灯させた後、赤色ＬＥＤ１２Ｒを消灯させて青色ＬＥＤ１２Ｂを同じく時間ｔだけ点灯させる。この制御を原稿９の読み取りの間、繰り返し実行する。なお、各ＬＥＤの点灯順序は上記のとおりでなくともよい。
【００２８】
駆動制御部３１２は、操作パネル３２によってユーザから原稿９の読み取りを指示されると、図略のモータを駆動して、原稿分離ロール２２、原稿搬送ロール２３、読取ロール２４、及び排出ロール２５を回転させる。給紙トレイ２１に複数の原稿９が置かれた場合には、全ての原稿９が排紙台２６に排出されるまで各ロールを回転させる。
【００２９】
Ａ／Ｄ変換部３１３は、読取素子１５から出力された反射光８ｂの強度に応じたアナログ信号をデジタル信号に変換して出力する。Ａ／Ｄ変換部３１３は、読取素子１５ごとに設けられていてもよく、１つのＡ／Ｄ変換部３１３で複数の読取素子１５からの出力信号を順次デジタル信号に変換するように構成されていてもよい。
【００３０】
なお、以下の説明では、反射光８ｂの強度が高いほどＡ／Ｄ変換部３１３が出力するデジタル信号によって表される数値が大きくなるようにした場合について説明するが、反射光８ｂの強度が高いほどＡ／Ｄ変換部３１３が出力するデジタル信号によって表される数値が小さくなるようにＡ／Ｄ変換部３１３を構成してもよい。
【００３１】
画像処理部３１４は、Ａ／Ｄ変換部３１３が出力するデジタル信号に基づいて、原稿９の画像の読み取り結果を示す画像情報を生成する。画像処理部３１４の構成については後述する。
【００３２】
送信部３１５は、データ送信のための差動回路等を有し、画像処理部３１４で生成された画像情報をコントローラ３０に送信可能に構成されている。
【００３３】
図３は、画像処理部３１４の概略の構成例を示す構成図である。画像処理部３１４は、ＣＰＵ（Central Processing Unit：中央演算処理装置）等の演算処理が可能な電子部品によって構成された制御部４１と、ＲＯＭ（Read Only Memory），ＲＡＭ（Random Access Memory）等の記憶素子によって構成された記憶部４２とを有して構成されている。
【００３４】
制御部４１は、記憶部４２に記憶された画像処理プログラム４２０に従ってＣＰＵが動作することにより、第１の画像情報生成手段４１１、第２の画像情報生成手段４１２、及び送信制御手段４１３等として機能する。
【００３５】
記憶部４２は、画像処理プログラム４２０、白色画像情報４２１、赤色画像情報４２２、青色画像情報４２３、緑色画像情報４２４、及びシアン画像情報４２５等を記憶する。
【００３６】
（第１の画像情報生成手段）
第１の画像情報生成手段４１１は、Ａ／Ｄ変換部３１３から出力されたデジタル信号を受け付け、このデジタル信号に基づいて白色画像情報４２１、赤色画像情報４２２、及び青色画像情報４２３を生成する。
【００３７】
より具体的には、第１の画像情報生成手段４１１は、白色ＬＥＤ１２Ｗの発光に対応して読取素子１５が出力した信号をＡ／Ｄ変換部３１３で変換した値に対し、主走査方向の光量ムラによる影響を抑制するためのシェーディング補正を行って白色画像情報４２１を生成し、記憶部４２に記憶させる。同様に、赤色ＬＥＤ１２Ｒの発光に対応して赤色画像情報４２２を生成して記憶させ、また青色ＬＥＤ１２Ｂの発光に対応して青色画像情報４２３を生成して記憶させる。
【００３８】
前述のように、光源１２は、白色ＬＥＤ１２Ｗ、赤色ＬＥＤ１２Ｒ、及び青色ＬＥＤ１２Ｂが順次点灯するので、各ＬＥＤの発光時における原稿９の実際の読み取り位置が副走査方向（原稿９の搬送方向）に沿って少しずつ移動するが、以下の説明では、白色ＬＥＤ１２Ｗが発光してから次に白色ＬＥＤ１２Ｗが発光するまでの時間を発光周期とし、この発光周期の間に白色ＬＥＤ１２Ｗ、赤色ＬＥＤ１２Ｒ、及び青色ＬＥＤ１２Ｂの発光によって読み取られる領域を１つの読み取り位置とする。また、以下の説明では、各画像情報を構成する読み取り位置ごとの反射光８ｂの強度を表す数値を画素値という。またさらに、画素値どうしの演算によって得られた値を画素値ということもある。
【００３９】
（第２の画像情報生成手段）
第２の画像情報生成手段４１２は、原稿９の読み取り位置のそれぞれについて、白色画像情報４２１の画素値から赤色画像情報４２２の画素値を減算してシアン画像情報４２５を生成し、さらにシアン画像情報４２５の画素値から青色画像情報４２３の画素値を減算して緑色画像情報４２４を生成する。
【００４０】
なお、反射光８ｂの強度が高いほどＡ／Ｄ変換部３１３が出力する値が小さくなるように構成した場合には、白色画像情報４２１の画素値に赤色画像情報４２２の画素値を加算してシアン画像情報４２５を生成し、さらにシアン画像情報４２５の画素値に青色画像情報４２３の画素値を加算して緑色画像情報４２４を生成することができる。
【００４１】
つまり、第２の画像情報生成手段４１２は、白色画像情報４２１の画素値に対し、赤色画像情報４２２及び青色画像情報４２３の画素値を加減算（加算又は減算）することで緑色画像情報４２４を生成する。
【００４２】
図４は、光の波長を横軸とし、縦軸に白色ＬＥＤ１２Ｗ、赤色ＬＥＤ１２Ｒ、及び青色ＬＥＤ１２Ｂの光量を示した光量分布の一例を示すグラフである。このグラフには、白色ＬＥＤ１２Ｗの光量から赤色ＬＥＤ１２Ｒ及び青色ＬＥＤ１２Ｂの光量を差し引いた光量差を示す曲線を合わせて示している。
【００４３】
このグラフに破線で示す白色ＬＥＤ１２Ｗの光量分布は、波長が約４６５ｎｍの青色の領域に第１のピークを有し、波長が約５６５ｎｍの緑色の領域に第２のピークを有している。
【００４４】
白色ＬＥＤ１２Ｗの光量から赤色ＬＥＤ１２Ｒ及び青色ＬＥＤ１２Ｂの光量を差し引くと、赤色と青色の間の緑色の波長の領域を中心とした光量分布が得られる。この光量分布は、短波長側の領域では青色ＬＥＤ１２Ｂの光量分布と重なっており、長波長側の領域では赤色ＬＥＤ１２Ｒの光量分布と重なっている。
【００４５】
第２の画像情報生成手段４１２は、白色画像情報４２１の画素値から赤色画像情報４２２及び青色画像情報４２３の画素値を差し引くことで、図４に示す光量差の光量分布を有する緑色のＬＥＤの発光によって得られる画像情報に相当する緑色画像情報４２４を生成する。
【００４６】
（送信制御手段）
送信制御手段４１３は、送信部３１５を制御し、生成された画像情報を随時コントローラ３０へ送信する。コントローラ３０へ送信される画像情報は、原稿９の画像を白黒又はグレースケールの画像として読み取る場合には白色画像情報４２１であり、カラー画像として読み取る場合には、赤色画像情報４２２、青色画像情報４２３、及び緑色画像情報４２４である。
【００４７】
（画像読取装置の動作）
次に、図１〜図５を参照して画像読取装置１００の動作例を説明する。
図５は、画像読取装置１００の動作手順の一例を示すフローチャートである。
【００４８】
ユーザが原稿９を給紙トレイ２１にセットし、操作パネル３２を操作して画像の読み取りを指示すると、コントローラ３０は、読取制御部３１の駆動制御部３１２に原稿９の搬送を開始すべき制御信号を送る。これを受けて駆動制御部３１２は、原稿搬送機構２０を制御して、原稿の搬送を開始する（Ｓ１０）。
【００４９】
次に、読取制御部３１の画像処理部３１４は、原稿９の画像の一部を読み取って、原稿９の画像がカラー画像か否かを判定する（Ｓ１１）。カラー画像でないと判定した場合には（Ｓ１１；Ｎｏ）、後述するステップＳ１２〜Ｓ１６に示すモノクロスキャン処理を行う。また、カラー画像であると判定した場合には（Ｓ１１；Ｙｅｓ）、後述するステップＳ２０〜Ｓ３５に示すカラースキャン処理を行う。なお、モノクロスキャン処理を行うかカラースキャン処理を行うかは、操作パネル３２に入力されたユーザの指示によって決定してもよい。
【００５０】
（モノクロスキャン処理）
ステップＳ１１でカラー画像でないと判定した場合、点灯制御部３１１は、白色ＬＥＤ１２Ｗに電流を供給し、白色ＬＥＤ１２Ｗを予め定められた時間（例えば０．５ｍｓ）パルス点灯させる（Ｓ１２）。
【００５１】
白色ＬＥＤ１２Ｗのパルス点灯による照射光８ａによって原稿９が照射され、原稿９の表面９ａで反射した反射光８ｂが結像レンズ１４によって複数の読取素子１５に結像する。そして、Ａ／Ｄ変換部３１３が、複数の読取素子１５の出力信号をデジタル信号に変換する（Ｓ１３）。
【００５２】
次に、第１の画像情報生成手段４１１は、Ａ／Ｄ変換部３１３で変換されたデジタル信号によって表される反射光８ｂの強度に応じた値に対してシェーディング補正を行い、各読み取り位置についての白色画像情報４２１を生成する（Ｓ１４）。生成された白色画像情報４２１は、記憶部４２に記憶される。
【００５３】
次に、送信制御手段４１３は、送信部３１５を制御して、記憶部４２に記憶された白色画像情報４２１をコントローラ３０に転送する（Ｓ１５）。なお、ステップＳ１３及びＳ１４の処理は、主走査方向の複数の読み取り位置のそれぞれについて実行され、送信部３１５は、各読み取り位置についての白色画像情報４２１を、主走査方向に沿った順序で順次送信する。
【００５４】
次に、駆動制御部３１２は、原稿読取位置（読取ロール２４と原稿台１１との間の位置）に対応する原稿９の部位が原稿後端であるか否かを判定し（Ｓ１６）、原稿後端でなければ（Ｓ１６；Ｎｏ）、ステップＳ１２〜Ｓ１５の処理を再度実行する。一方、原稿後端であれば（Ｓ１６；Ｙｅｓ）、１枚の原稿９の読み取りが完了したと判断して処理を終了する。なお、複数枚の原稿９が給紙トレイ２１にセットされた場合には、ステップＳ１０以降の処理を繰り返して実行する。
【００５５】
（カラースキャン処理）
ステップＳ１１でカラー画像であると判定した場合、点灯制御部３１１は、白色ＬＥＤ１２Ｗに電流を供給し、白色ＬＥＤ１２Ｗをパルス点灯させる（Ｓ２０）。
【００５６】
次に、Ａ／Ｄ変換部３１３は、白色ＬＥＤ１２Ｗの発光に対応して複数の読取素子１５が出力する信号をデジタル信号に変換する（Ｓ２１）。
【００５７】
次に、第１の画像情報生成手段４１１は、ステップＳ２１でＡ／Ｄ変換部３１３により変換されたデジタル信号で表される値に対してシェーディング補正を行い、各読み取り位置について白色画像情報４２１を生成し、この白色画像情報４２１を記憶部４２に記憶する（Ｓ２２）。
【００５８】
次に、送信制御手段４１３は、送信部３１５を制御して、記憶部４２に記憶された白色画像情報４２１をコントローラ３０に転送する（Ｓ２３）。
【００５９】
次に、点灯制御部３１１は、赤色ＬＥＤ１２Ｒに電流を供給し、赤色ＬＥＤ１２Ｒをパルス点灯させ（Ｓ２４）、Ａ／Ｄ変換部３１３は、赤色ＬＥＤ１２Ｒの発光に対応して複数の読取素子１５が出力する信号をデジタル信号に変換する（Ｓ２５）。
【００６０】
次に、第１の画像情報生成手段４１１は、ステップＳ２５でＡ／Ｄ変換部３１３により変換されたデジタル信号で表される値に対してシェーディング補正を行い、各読み取り位置について赤色画像情報４２２を生成し、この赤色画像情報４２２を記憶部４２に記憶する（Ｓ２６）。
【００６１】
次に、送信制御手段４１３は、送信部３１５を制御して、記憶部４２に記憶された赤色画像情報４２２をコントローラ３０に転送する（Ｓ２７）。
【００６２】
次に、第２の画像情報生成手段４１２は、各読み取り位置について、記憶部４２に記憶された白色画像情報４２１の画素値から赤色画像情報４２２の画素値を減算してシアン画像情報４２５を生成する（Ｓ２８）。
【００６３】
より詳細には、各読み取り位置について、白色画像情報４２１及び赤色画像情報４２２から、共通する読み取り位置についての画素値を抽出する。そして、白色画像情報４２１より抽出した画素値から、赤色画像情報４２２より抽出した画素値を減算する。減算の結果が負になった場合には、その演算結果をゼロに置き換える。例えば、画素値を０（最小値）から２５５（最大値）までの２５６段階で表現した場合、ある読み取り位置について白色画像情報４２１の画素値が２５０、赤色画像情報４２２の画素値が１００であった場合には、その読み取り位置についてのシアン画像情報４２５の画素値が１５０となる。
【００６４】
次に、点灯制御部３１１は、青色ＬＥＤ１２Ｂに電流を供給し、青色ＬＥＤ１２Ｂをパルス点灯させ（Ｓ２９）、Ａ／Ｄ変換部３１３は、青色ＬＥＤ１２Ｂの発光に対応して複数の読取素子１５が出力する信号をデジタル信号に変換する（Ｓ３０）。
【００６５】
次に、第１の画像情報生成手段４１１は、ステップＳ３０でＡ／Ｄ変換部３１３により変換されたデジタル信号で表される値に対してシェーディング補正を行い、各読み取り位置について青色画像情報４２３を生成し、この青色画像情報４２３を記憶部４２に記憶する（Ｓ３１）。
【００６６】
次に、送信制御手段４１３は、送信部３１５を制御して、記憶部４２に記憶された青色画像情報４２３をコントローラ３０に転送する（Ｓ３２）。
【００６７】
次に、第２の画像情報生成手段４１２は、各読み取り位置について、記憶部４２に記憶されたシアン画像情報４２５の画素値から青色画像情報４２３の画素値を減算して緑色画像情報４２４を生成する（Ｓ３３）。
【００６８】
より詳細には、各読み取り位置について、シアン画像情報４２５及び青色画像情報４２３から、共通する読み取り位置についての画素値を抽出する。そして、シアン画像情報４２５より抽出した画素値から、青色画像情報４２３より抽出した画素値を減算する。減算の結果が負になった場合には、その演算結果をゼロに置き換える。例えば、画素値を０から２５５までの２５６段階で表現した場合において、ある読み取り位置についてシアン画像情報４２５の画素値が１５０、赤色画像情報４２２の画素値が８０であった場合には、その読み取り位置についての緑色画像情報４２４の画素値が７０となる。
【００６９】
次に、送信制御手段４１３は、送信部３１５を制御して、記憶部４２に記憶された緑色画像情報４２４をコントローラ３０に転送する（Ｓ３４）。
【００７０】
次に、駆動制御部３１２は、原稿読取位置に対応する原稿９の部位が原稿後端であるか否かを判定し（Ｓ３５）、原稿後端でなければ（Ｓ３５；Ｎｏ）、ステップＳ２０〜Ｓ３４の処理を再度実行する。一方、原稿後端であれば（Ｓ３５；Ｙｅｓ）、１枚の原稿９の読み取りが完了したと判断して処理を終了する。
【００７１】
以上のように、白色画像情報４２１の画素値から赤色画像情報４２２及び青色画像情報４２３の画素値を差し引くことで緑色画像情報４２４を生成し、三原色（赤、青、緑）の３つの有彩色のそれぞれに対応した画像情報をコントローラ３０に転送する。
【００７２】
その後、コントローラ３０は、転送された画像情報を複写機の画像形成部に出力して用紙にカラー画像を印刷させてもよいし、例えばパーソナルコンピュータに画像情報を出力してカラー画像を画面表示させてもよい。
【００７３】
（変形例１）
上記第１の実施の形態では、光源１２が白色ＬＥＤ１２Ｗ、赤色ＬＥＤ１２Ｒ、及び青色ＬＥＤ１２Ｂを有し、白色ＬＥＤ１２Ｗの発光によって得られる白色画像情報４２１の画素値から赤色ＬＥＤ１２Ｒ及び青色ＬＥＤ１２Ｂによって得られる赤色画像情報４２２及び青色画像情報４２３の画素値を差し引いて緑色画像情報４２４を生成したが、有彩色の２つの発光素子の発光色は赤色系と青色系との組み合わせに限らない。
【００７４】
例えば、光源１２が白色ＬＥＤ１２Ｗ、赤色ＬＥＤ１２Ｒ、及び５００〜６００ｎｍの波長に光量のピークを有する緑色系の光を発光する緑色ＬＥＤを有し、白色画像情報４２１の画素値から赤色ＬＥＤ１２Ｒ及びこの緑色ＬＥＤによって得られる赤色画像情報４２２及び緑色画像情報４２４の画素値を差し引いて青色画像情報４２３を生成してもよい。また、白色画像情報４２１の画素値から青色画像情報４２３及び緑色画像情報４２４の画素値を差し引いて赤色画像情報４２２を生成してもよい。
【００７５】
（変形例２）
また、上記第１の実施の形態では、白色画像情報４２１の画素値に対して赤色画像情報４２２の画素値及び青色画像情報４２３の画素値を加減算し、緑色画像情報４２４を生成したが、白色画像情報４２１の画素値、赤色画像情報４２２の画素値、及び青色画像情報４２３の画素値と緑色画像情報４２４の画素値との対応表を記憶し、この対応表を参照して緑色画像情報４２４を生成してもよい。
【００７６】
［第２の実施の形態］
次に、本発明の第２の実施の形態について説明する。本実施の形態の画像読取装置１００は、第１の実施の形態について図１から図３に示したものと同様に構成されているが、第２の画像情報生成手段４１２の処理内容が第１の実施の形態とは異なっている。
【００７７】
本実施の形態では、白色画像情報４２１及び青色画像情報４２３に基づいて、緑色画像情報４２４を生成する。つまり、各読み取り位置について、白色画像情報４２１及び青色画像情報４２３から、共通する読み取り位置についての画素値を抽出し、白色画像情報４２１より抽出した画素値から青色画像情報４２３より抽出した画素値を減算する。減算の結果が負になった場合には、その演算結果をゼロに置き換える。この演算結果を緑色画像情報４２４の画素値とする。
【００７８】
この処理によっても、緑色の領域にピークを有する光量分布のＬＥＤの発光によって得られる画像情報に相当する緑色画像情報４２４が生成される。
【００７９】
（変形例３）
上記第２の実施の形態では、白色画像情報４２１の画素値から青色画像情報４２３の画素値を差し引いて緑色画像情報４２４を生成したが、これに限らない。例えば光源１２が青色ＬＥＤ１２Ｂに替えて５００〜６００ｎｍの波長に光量のピークを有する緑色系の光を発光する緑色ＬＥＤを備え、白色画像情報４２１の画素値から緑色ＬＥＤの発光によって生成した緑色画像情報４２４の画素値を差し引いて、第２の画像情報生成手段４１２が青色画像情報４２３を生成してもよい。
【００８０】
（変形例４）
また、上記第２の実施の形態では、白色画像情報４２１の画素値に対して青色画像情報４２３の画素値を加減算し、緑色画像情報４２４を生成したが、白色画像情報４２１の画素値及び青色画像情報４２３の画素値と緑色画像情報４２４の画素値との対応表を記憶し、この対応表を参照して緑色画像情報４２４を生成してもよい。
【００８１】
［他の実施の形態］
なお、本発明は、上記各実施の形態に限定されず、本発明の趣旨を逸脱しない範囲内で種々な変形が可能である。
【００８２】
例えば、上記各実施の形態では、Ａ／Ｄ変換部３１３で変換した値に対してシェーディング補正を行って各画像情報の画素値を求めたが、光源１２を構成する各ＬＥＤの光量の差が大きい場合には、シェーディング補正に加えて光量の不均一による影響を緩和するための係数を乗じる補正を行って各画像情報の画素値としてもよい。
【００８３】
また、上記各実施の形態で説明した処理のステップは、順序の入れ替え、削除、又は追加が可能である。
【００８４】
また、上記各実施の形態では、画像処理プログラム４２０に従って動作する制御部４１の演算処理によって緑色画像情報４２４を生成したが、その演算処理の一部又は全部を加算器又は減算器を含む論理回路からなるハードウェアの処理によって実行してもよい。
【００８５】
また、上記各実施の形態では、画像処理プログラム４２０が画像読取装置１００に組み込まれたものとして説明したが、これに限らず、画像処理プログラム４２０をコンピュータの記憶装置に記憶させ、画像読取部１０や原稿搬送機構２０をこのコンピュータとは別体に設けてもよい。この場合、画像処理プログラム４２０は、ＣＤ−ＲＯＭ等の記憶媒体に格納して提供することも可能であり、インターネット等のネットワークに接続されているサーバ装置等からコンピュータにダウンロードしてもよい。
【符号の説明】
【００８６】
１…本体部、２…蓋部、８ａ…照射光、８ｂ…反射光、９…原稿、９ａ…表面、１０…画像読取部、１１…原稿台、１２…光源、１２Ｗ…白色ＬＥＤ、１２Ｒ…赤色ＬＥＤ、１２Ｂ…青色ＬＥＤ、１３…導光体、１４…結像レンズ、１５…読取素子、２０…原稿搬送機構、２１…給紙トレイ、２２…原稿分離ロール、２３…原稿搬送ロール、２４…読取ロール、２５…排出ロール、２６…排紙台、３０…コントローラ、３１…読取制御部、３２…操作パネル、４１…制御部、４２…記憶部、１００…画像読取装置、１１１…白基準部材、３１１…点灯制御部、３１２…駆動制御部、３１３…Ａ／Ｄ変換部、３１４…画像処理部、３１５…送信部、４１１…第１の画像情報生成手段、４１２…第２の画像情報生成手段、４１３…送信制御手段、４２０…画像処理プログラム、４２１…白色画像情報、４２２…赤色画像情報、４２３…青色画像情報、４２４…緑色画像情報、４２５…シアン画像情報
【図１】
2012028933.tif 000003
【図２】
2012028933.tif 000004
【図３】
2012028933.tif 000005
【図４】
2012028933.tif 000006
【図５】
2012028933.tif 000007